(57)【要約】【課題】  防犯目的上必要な映像のみを選択して効率よく記録保存する。【解決手段】  第１メモリ８上の領域１をリングバッファとして利用し、カメラユニット３で撮像された映像を記録し続ける。人体検知センサ５が人体を検知すると、第１メモリ８上の領域２に映像を記録した後、領域１および２の映像を領域３へ記録する。領域３では所定容量の記録保存した後、古い映像から上書きされる。呼出ボタン４に応答がない場合、異常検出センサ１３が反応した場合には、領域３の映像が第２メモリ９へ記録される。【選択図】        図１
2006237693.tif 000002
【特許請求の範囲】
【請求項１】
出入り口に設置されるドアホンと、室内に設置されるコントローラとから構成されるドアホンシステムであって、
前記ドアホンは、
来訪者を感知する人体検知センサと、
前記来訪者を撮像するカメラユニットと、
前記来訪者が来訪を通知する呼出ボタンと、
を備え、
前記コントローラは、
前記カメラユニットで撮像された映像を圧縮符号化した映像データを出力する画像圧縮部と、
第１領域ないし第３領域を有する揮発性の第１メモリと、
不揮発性の第２メモリと、
を備え、
通常は、前記第１領域への前記映像データの記録保存を継続して行い、
前記人体検知センサが前記来訪者を検知したときは、前記第１領域への記録保存を停止して前記第２領域への前記映像データの記録保存を行った後、前記第１領域および前記第２領域に記録保存された前記映像データを検知録画映像として前記第３領域へ記録保存し、
前記呼出ボタンを押下して来訪の通知がなされ、かつ当該通知に対する応答がなかったときは、前記第３領域に直前に記録保存された前記検知録画映像を、前記第２メモリへ記録保存することを特徴とするドアホンシステム。
【請求項２】
出入り口に設置されるドアホンと、室内に設置されるコントローラとから構成されるドアホンシステムであって、
前記ドアホンは、
来訪者を感知する人体検知センサと、
前記来訪者を撮像するカメラユニットと、
前記来訪者が来訪を通知する呼出ボタンと、
を備え、
前記コントローラは、
前記カメラユニットで撮像された映像を圧縮符号化した映像データを出力する画像圧縮部と、
第１領域ないし第３領域を有する揮発性の第１メモリと、
不揮発性の第２メモリと、
所定の異常事態を検出する異常検出センサと、
を備え、
通常は、前記第１領域への前記映像データの記録保存を継続して行い、
前記人体検知センサが前記来訪者を検知したときは、前記第１領域への記録保存を停止して前記第２領域への前記映像データの記録保存を行った後、前記第１領域および前記第２領域に記録保存された前記映像データを検知録画映像として前記第３領域へ記録保存し、
前記呼出ボタンを押下して来訪の通知がなされ、かつ当該通知に対する応答がなかったときは、前記第３領域に直前に記録保存された前記検知録画映像を、前記第２メモリへ記録保存し、
前記異常検出センサが前記所定の異常事態を検出したときは、前記第３領域に記録保存された全ての前記検知録画映像を、前記第２メモリへ記録保存することを特徴とするドアホンシステム。
【請求項３】
請求項１または請求項２に記載のドアホンシステムであって、
前記カメラユニットは、
前記来訪者を撮像可能な標準レンズと、
前記標準レンズに比して広範囲を撮像可能な広角レンズと、
を備え、
前記第１領域に記録保存する前記映像データは前記広角レンズで撮像し、前記第２領域へ記録保存する前記映像データは前記標準レンズにより撮像することを特徴とするドアホンシステム。
【請求項４】
請求項１ないし請求項３のいずれかに記載のドアホンシステムであって、
前記コントローラは、さらに、
記録保存された前記映像データを読み出して伸張復号化する手段と、
前記画像伸張部で伸張復号化された映像を再生表示する手段と、
を備えることを特徴とするドアホンシステム。
【請求項５】
請求項１ないし請求項４のいずれかに記載のドアホンシステムであって、
前記第３領域は、複数の前記検知録画映像を記録保存可能な容量を有し、前記容量が前記検知録画映像で満たされた後は、最新の前記検知録画映像が、最も古い前記検知録画映像に上書きされて記録保存されることを特徴とするドアホンシステム。
【発明の詳細な説明】
【技術分野】
【０００１】
本発明は、カメラ機能を有し、撮影した映像を記録保存するドアホンシステムに関する。
【背景技術】
【０００２】
近年、防犯に関する意識が高まり、監視カメラや侵入者を検知するセンサ等を利用した防犯システムが、企業等だけではなく一般家庭においても注目されている。そして、ドアホンに備えられたカメラが、室内から屋外の来訪者をリアルタイムに確認するためだけではなく、防犯目的にも利用されるようになってきた。
【０００３】
例えば、呼出ボタンやセンサ等により来訪者を検知すると、ドアホンに備えられたカメラによって当該来訪者を撮影し、ドアホンに接続され室内に設置されたコントローラ内の記憶装置に記録保存する機能を有するドアホンシステムがある。記録保存された映像は、コントローラの備える液晶等の表示装置上に再生表示することができる。
【発明の開示】
【発明が解決しようとする課題】
【０００４】
しかし、センサ等により来訪者を検知する度に全ての映像を記録保存すると、大量の映像が保存される。例えば、来訪者には何ら防犯上の問題はなく家人が応対した場合の映像等も全て記録される。
【０００５】
そのため、後に確認する必要のない映像までが全て記録されてしまい、後に全ての映像を確認するのが困難になるという問題があった。
【０００６】
また、映像を記録する記憶装置の容量は限られているため、記憶装置の容量を超えたときは、映像が記録されないか、あるいは過去の映像に上書きされることになる。そのため、後に必要となる映像が上書きにより消去されてしまう場合があるという問題があった。
【０００７】
そこで、この発明の課題は、防犯目的上必要な映像のみを効率よく記録保存することが可能な技術を提供することにある。
【課題を解決するための手段】
【０００８】
上記課題を解決すべく、この発明による請求項１に記載のドアホンシステムは、出入り口に設置されるドアホンと、室内に設置されるコントローラとから構成されるドアホンシステムであって、前記ドアホンは、来訪者を感知する人体検知センサと、前記来訪者を撮像するカメラユニットと、前記来訪者が来訪を通知する呼出ボタンと、を備え、前記コントローラは、前記カメラユニットで撮像された映像を圧縮符号化した映像データを出力する画像圧縮部と、第１領域ないし第３領域を有する揮発性の第１メモリと、不揮発性の第２メモリと、を備え、通常は、前記第１領域への前記映像データの記録保存を継続して行い、前記人体検知センサが前記来訪者を検知したときは、前記第１領域への記録保存を停止して前記第２領域への前記映像データの記録保存を行った後、前記第１領域および前記第２領域に記録保存された前記映像データを検知録画映像として前記第３領域へ記録保存し、前記呼出ボタンを押下して来訪の通知がなされ、かつ当該通知に対する応答がなかったときは、前記第３領域に直前に記録保存された前記検知録画映像を、前記第２メモリへ記録保存することを特徴とする。
【０００９】
この発明による請求項２に記載のドアホンシステムは、出入り口に設置されるドアホンと、室内に設置されるコントローラとから構成されるドアホンシステムであって、前記ドアホンは、来訪者を感知する人体検知センサと、前記来訪者を撮像するカメラユニットと、前記来訪者が来訪を通知する呼出ボタンと、を備え、前記コントローラは、前記カメラユニットで撮像された映像を圧縮符号化した映像データを出力する画像圧縮部と、第１領域ないし第３領域を有する揮発性の第１メモリと、不揮発性の第２メモリと、所定の異常事態を検出する異常検出センサと、を備え、通常は、前記第１領域への前記映像データの記録保存を継続して行い、前記人体検知センサが前記来訪者を検知したときは、前記第１領域への記録保存を停止して前記第２領域への前記映像データの記録保存を行った後、前記第１領域および前記第２領域に記録保存された前記映像データを検知録画映像として前記第３領域へ記録保存し、前記呼出ボタンを押下して来訪の通知がなされ、かつ当該通知に対する応答がなかったときは、前記第３領域に直前に記録保存された前記検知録画映像を、前記第２メモリへ記録保存し、前記異常検出センサが前記所定の異常事態を検出したときは、前記第３領域に記録保存された全ての前記検知録画映像を、前記第２メモリへ記録保存することを特徴とする。
【００１０】
この発明による請求項３に記載のドアホンシステムにおいては、前記カメラユニットは、前記来訪者を撮像可能な標準レンズと、前記標準レンズに比して広範囲を撮像可能な広角レンズと、を備え、前記第１領域に記録保存する前記映像データは前記広角レンズで撮像し、前記第２領域へ記録保存する前記映像データは前記標準レンズにより撮像することを特徴とする。
【００１１】
この発明による請求項４に記載のドアホンシステムにおいては、前記コントローラは、さらに、記録保存された前記映像データを読み出して伸張復号化する手段と、前記画像伸張部で伸張復号化された映像を再生表示する手段と、を備えることを特徴とする。
【００１２】
この発明による請求項５に記載のドアホンシステムにおいては、前記第３領域は、複数の前記検知録画映像を記録保存可能な容量を有し、前記容量が前記検知録画映像で満たされた後は、最新の前記検知録画映像が、最も古い前記検知録画映像に上書きされて記録保存されることを特徴とする。
【発明の効果】
【００１３】
請求項１に記載の発明によれば、人体検知センサを利用して来訪者を検知したときにのみ検知前後の映像を記録保存すると共に、その中から留守中の映像のみを選択して残すことができる。また、留守中の映像は不揮発性メモリに保存されるため、停電等による影響を受けることがない。
【００１４】
請求項２に記載の発明によれば、人体検知センサを利用して来訪者を検知したときにのみ検知前後の映像を記録すると共に、その中から留守中の映像のみを選択して残すことができる。また、異常事態を検出したときには第３領域上にある全ての映像を残すことができるため、防犯目的上必要な映像を選択して残すことができる。さらに、留守中の映像および異常事態を検出したときの映像は不揮発性メモリに保存されるため、停電等による影響を受けることがない。
【００１５】
請求項３に記載の発明によれば、標準レンズによる来訪者を特定しやすい映像と、広角レンズによる来訪者を含むなるべく多くの情報を含む映像との両方を記録することができる。
【００１６】
請求項４に記載の発明によれば、コントローラにより記録保存した映像を容易に再生表示して確認することができる。
【００１７】
請求項５に記載の発明によれば、人体検知センサが人体を検知したときの映像を一旦第３領域に記録し、この中から重要な映像のみを選択して第２メモリに記録保存することができる。また第３領域には、複数の検知録画映像を記録保存することができるため、異常事態を検出したときには、過去に記録保存した全ての検知録画映像を残すことができる。
【発明を実施するための最良の形態】
【００１８】
＜ドアホンシステムの構成＞
図１は、この発明の実施の形態に係るドアホンシステムを示す構成図である。図１の如く、当該ドアホンシステムは、玄関等の出入り口に設置されたドアホン１と、当該ドアホン１に接続されて室内に設置されるコントローラ２と、窓やドア等に備えられた異常検出センサ１３と、から構成される。当該ドアホンシステムは、ドアホン１の備えるカメラユニット３で撮像した映像から重要な映像のみを選択してコントローラ２内部に記録保存する機能を有する。尚、ドアホン１、コントローラ２および異常検出センサ１３は相互にデータの送受信が可能であれば、有線接続される態様に限らず、無線通信を利用する態様であっても構わない。
【００１９】
ドアホン１は、来訪者を撮影可能なカメラユニット１と、来訪者が室内に向けて来訪を知らせるための呼出ボタン４と、来訪者を検知する人体検知センサ５と、を備える。尚、図１は機能ブロックによる構成図であって、ドアホン１が、カメラユニット１、呼出ボタン４および人体検知センサ５の全てを含む一体型のドアホン１に限定されることを示すものではない。具体的には、来訪者が撮像可能な位置にカメラユニット１が、出入り口に近づく来訪者を検知可能な位置に人体検知センサ５が、それぞれ呼出ボタン４とは別に設置される態様であっても構わない。また、呼出ボタンン４および人体検知センサ５から、カメラユニット３へのデータ送信が可能であれば、これらの間は有線接続される態様に限らず、無線通信を利用する態様であっても構わない。
【００２０】
カメラユニット３は、ＣＣＤやＣＭＯＳ等の撮像素子を利用して、撮像した映像を電気信号に変換した映像信号をコントローラ２に入力する機能を有する。そして、当該カメラユニット３にはその光学系部品として、広角レンズと標準レンズとを備えている。広角レンズは、来訪者を含むより多くの情報を記録することを目的とし、出入り口付近の広い領域を撮像することができる。標準レンズは、来訪者やその動作を記録することを目的とし、広角レンズに比べて来訪者をより大きく撮像することができる。尚、２種類の単体レンズを備える態様に限らず、広角レンズと標準レンズの両方の撮像領域を撮像対象とすることが可能なズームレンズを備える態様であっても構わない。カメラユニット３は、レンズを（あるいはズーム操作によりレンズの焦点領域を）切り換えて、撮像対象となる領域を変更する機能を有している。カメラユニット３は、これらの機能を利用して出入り口周辺または来訪者を撮像可能な位置に設置されて利用される。また、カメラユニット３は、その他、撮像方向を変更可能なパン、チルトを実現する機能等を有する態様であっても構わない。
【００２１】
呼出ボタン４は、出入り口の屋外側に備えられ、来訪者が押下することによって、当該来訪者の来訪を室内に居る利用者に音や光を利用して通知する機能を有する。具体的には、来訪者が呼出ボタン４を押下すると、通知信号がカメラユニット３を介してドアホン１からコントローラ２に送信され、コントローラ２に備えられたスピーカやＬＥＤ（図示せず）等を利用して音や光が発せられる。これにより、室内に居る利用者は来訪者の存在を認識することができる。また、呼出ボタン４は、カメラユニット３で撮像した映像データの処理にも利用されるが、これについては後述する。
【００２２】
人体検知センサ５は、所定範囲内の人体を検知して、これを通知する信号を出力する機能を有する。出力された通知信号は、カメラユニット３を介してドアホン１からコントローラ２に送信され、カメラユニット３で撮像した映像データの処理に利用される。これについては後述する。人体検知センサ５としては、具体的には、人体の温度を検知する焦電素子を利用した赤外線式のセンサを利用することが多い。しかし、人体検知センサ５はこれに限らず、人体を検知可能センサであれば、例えば、人体が近づくことによる静電容量の変化を検出する方式等、他の動作原理によるセンサを利用しても構わない。
【００２３】
コントローラ２は、カメラユニット１で撮像された映像を圧縮する画像圧縮部７と、圧縮後の映像データの記録保存等に利用する第１メモリ８および第２メモリ９と、記録保存された映像データを伸張する画像伸張部１０と、画像の再生表示に利用する画像表示部１２と、伸張後の映像データを画像表示部１２に入力可能な信号に変換する表示処理部１１と、これらの各部を含むコントローラ２全体の動作を制御するＣＰＵ６と、を備える。尚、コントローラ２は、ドアホン１専用に利用される態様であってもよいし、建物全体の防犯システムを制御するコントローラの一部を構成するものであっても構わない。
【００２４】
ＣＰＵ６は、コントローラ２を構成する各部７〜１２の動作を制御する機能を有する。また、ドアホン１のカメラユニット３の動作を制御する機能も有している。当該ＣＰＵ６の制御に各部が応じることで、後述するドアホンシステムとしての動作を実現する。
【００２５】
画像圧縮部７は、カメラユニット３で撮像され入力された映像をＪＰＥＧやＭＰＥＧ等の所定の圧縮形式に圧縮符号化する機能を有する。
【００２６】
第１メモリ８は、例えばＳＲＡＭ等の、揮発性の半導体記憶装置である。カメラユニット３で撮像され、画像圧縮部７で圧縮された映像データの記録保存や、ＣＰＵ６が動作するときのデータ等の一時記憶のために利用する。
【００２７】
第２メモリ９は、例えばフラッシュメモリ等の、不揮発性の記憶装置である。第１メモリ８と同様に映像データの記録保存に利用する他、ＣＰＵ６の動作を規定するプログラムの格納等にも利用する。尚、第２メモリ９は、不揮発性の記憶装置であれば、半導体記憶装置に限らず、ハードディスクドライブ等を利用する態様であっても構わない。
【００２８】
画像伸張部１０は、画像圧縮部７で圧縮された映像データを、その圧縮形式に応じて伸張復号化する機能を有する。表示処理部１１は、画像伸張部１０で伸張された映像データを、画像表示部１２に入力可能な映像信号に変換する機能を有する。そして、画像表示部１２は、入力された映像信号により映像を再生表示する機能を有する。具体的には、例えば、画像圧縮部７でＪＰＥＧ形式で圧縮保存され第２メモリ９に記録保存されていた映像データを、画像伸張部１０が伸張し、表示処理部１１がＲＧＢ形式の信号に変換し、これを液晶表示装置である画像表示部１２に入力して表示するといった具合である。
【００２９】
異常検出センサ１３は、防犯上の異常事態の発生を検出するセンサである。室内への侵入を図る不審者等を検出することを目的として、あるいは、ドアホンシステムの異常状態を検出することを目的として設置されるセンサである。具体的には例えば、窓やドア等に設置されガラスを割ったりこじ開けようとする動きを検出する衝撃センサや、所定領域への侵入者等を検出する赤外線センサやレーザセンサや、カメラユニット３に対する破壊行為を検出する衝撃センサ等が該当する。異常検出センサ１３によって異常事態が検出されると、これを通知する信号がコントローラ２に入力される。そして、この通知信号が、カメラユニット３で撮像した映像データの処理に利用されるが、これについては後述する。
【００３０】
以上のドアホンシステムを構成する各部は、専用のハードウェア、または専用のハードウェアおよびソフトウェアプログラムによって実現される。
【００３１】
尚、図１には特に図示しないが、本発明に係るドアホンシステムは、ドアホン１とコントローラ２の間での通話を実現するインターホン機能や、ドアホン１の備えるカメラユニット３で撮像した映像をコントローラ２の備える画像表示部１２でリアルタイムに確認するモニター機能等、従来の一般的なドアホンで実現されている機能を有する態様であっても構わない。ただし、以下では、インターホン機能等、従来のドアホンが有する機能に係る説明は省略し、本発明特有の動作について説明する。
【００３２】
＜ドアホンシステムの動作＞
図２は、当該ドアホンシステムの動作内容を示すフローチャートである。そして、図３および図４は、第１メモリ８および第２メモリ９に記録保存される映像データの内容を示す図である。以下、これら図２〜４を用いて、図１に示した構成を有するドアホンシステムの動作の詳細を説明する。
【００３３】
まず、通常は、カメラユニット３で撮像し、画像圧縮部７で所定の圧縮形式に圧縮した映像データを、第１メモリ８上に設けられた領域１に記録保存する（ステップＳ１）。
【００３４】
そして、この動作は、人体検知センサ５で人体を検知するまで継続して行われる（ステップＳ２で”なし”）。即ち、人体検知センサ５が人体を検知しない間は、領域１をリングバッファとして利用し、カメラユニット３で撮像し画像圧縮部７で圧縮された映像データを記録保存し続ける。
【００３５】
このとき、領域１へは、より多くの情報を記録するため、カメラユニット３の設置された出入り口付近を広範囲に撮影した映像データが記録保存される。具体的には、カメラユニット３のレンズを広角レンズに切り換えて（あるいはズームレンズであればその焦点距離を広角レンズ相当の焦点距離に調整して）撮像された映像が記録保存される。
【００３６】
人体検知センサ５が人体を検知すると（ステップＳ２で”あり”）、これを通知する通知信号がコントローラ２へ送られ、コントローラ２では、領域１への映像データの記録保存を停止して、第１メモリ８上に設けられた領域２への記録保存を開始する（ステップＳ３）。
【００３７】
このとき、領域２へは、検知した来訪者やその動作を記録するため、カメラユニット３でのレンズを標準レンズに切り換えて（あるいはズームレンズであればその焦点距離を標準レンズ相当の焦点距離に調整して）撮像された映像が記録保存される。
【００３８】
そして、所定時間分の映像データの領域２への記録保存を終了すると、領域１へ記録保存された人体検知センサ５が人体を検知する直前までに撮像された映像データと、領域２へ記録保存された人体検知センサ５が人体を検知した直後から撮像された映像データとを合わせた映像が、検知録画映像として、第１メモリ８上に設けられた領域３へ記録保存される。即ち、領域３に記録保存される検知録画映像は、人体検知センサ５が人体を検知した時点の前後の映像から成る。
【００３９】
尚、領域１および領域２の容量は、例えば５秒間の映像データが記録される容量等、所定容量であってもよいし、利用者が任意に設定可能な態様であっても構わない。
【００４０】
これにより、人体検知センサ５が人体を検知した場合に、検知前の映像と検知後の映像の両方を記録保存することができる。よって、例えば、悪意ある来訪者が、人体検知センサ５が当該来訪者を検知可能な範囲に達してすぐに、カメラユニット３等を破壊し撮像が不可能な状況になったような場合でも、それ以前に領域１へ記録保存した映像データが、領域３へ記録保存されるため、この映像データを来訪者を特定するために利用することができる。
【００４１】
また、カメラユニット３のレンズ設定により、領域１へ記録保存する映像データと、領域２へ記録保存する映像データとの撮像範囲を変更することで、来訪者を検知するまでは来訪者となる可能性のあるより多くの人影を撮像すると共に、来訪者を検知した後は来訪者を中心により大きく撮像することが可能となる。
【００４２】
検知録画映像が領域３へ記録保存されたときに、人体検知センサ５で検知した来訪者が呼出ボタン４を押下しなかった場合には（ステップＳ５で”なし”）、再び、領域１への映像データの記録保存（ステップＳ１）を開始する。
【００４３】
また、検知録画映像を領域３へ記録保存されたときに、人体検知センサ５で検知された来訪者が呼出ボタン４を押下し、これに応じて利用者が来訪者に応対した場合も（ステップＳ６で”あり”）、同様に、再び領域１への映像データの記録保存（ステップＳ１）を開始する。
【００４４】
尚、呼出ボタン４が押下された否かは、呼出ボタン４が押下されたときに、コントローラ２に送信される通知信号により判断する。また、利用者が、これに応答したか否かは、例えば、ドアホン１およびコントローラ２の有するインターホン機能（図示せず）により、利用者が操作子を操作したこと、または通話したことによって判断すればよい。
【００４５】
上述した動作により、人体検知センサ５が人体を検知する度に、領域１および領域２へ記録保存された映像データが領域３へは記録保存される。このとき、領域３への検知記録映像の記録保存は、先に記録保存された検知録画映像に上書きされないように行われる。
【００４６】
具体的には、図３に示すように、人体検知センサ５が人体を検知して領域１および領域２に記録保存された映像データが検知録画映像Ａとして領域３へ記録保存されたとする。その後、人体検知センサ５が再び人体を検知したときは、領域１および領域２に記録保存された映像データは、検知録画映像Ｂとして、検知録画映像Ａに上書きされないように、領域３へ記録保存される。
【００４７】
領域１はリングバッファとして利用され人体検知センサ５が人体を検知したとき以外は常に新しい映像データによって上書きされる。また、領域２は人体検知センサ５が人体を検知する度に新しい映像データによって上書きされる。これに対し領域３では、その容量が許す限り、先に記録した検知録画映像を残すように新しい検知録画映像が記録保存される。そして、領域３の容量を超えたときには、最も古い検知録画映像から順に、新しい検知録画映像によって上書きされてゆく。このような動作とすることで、領域３には、人体検知センサ５が人体を検知した前後の映像データを、複数記録することができる。
【００４８】
また、領域３へ記録保存された映像データは、コントローラ２の操作により読み出され、画像伸張部１０により伸張され、表示処理部１１により所定の信号に変換されて、画像表示部１２に再生表示することができる。即ち、出入り口に近づいて人体検知センサ５が反応したものの呼出ボタン４を押さなかった来訪者の映像や、呼出ボタン４が押下され応対した来訪者の映像を、後に、利用者がコントローラ２により再生して確認することが可能である。
【００４９】
これにより、例えば、ドアホン１が設置された出入り口以外から侵入者があった場合に、当該侵入者が出入り口を含む周囲を徘徊し人体検知センサ５がこれを検知していれば、領域３に記録保存された映像を遡って再生し、当該侵入者を特定するために利用することができる。
【００５０】
また、例えば、配送業者等を装って呼出ボタン４を押下した来訪者が、応対した利用者が出入り口を開けた後に豹変し、利用者が被害を受けた場合等にも、領域３に記録保存された映像を当該来訪者を特定するために利用することができる。
【００５１】
尚、領域３の容量は、所定回数分の検知録画映像が記録可能な所定容量が設定されてもよいし、利用者が任意に設定可能な態様であっても構わない。
【００５２】
検知録画映像が領域３へ記録保存され、人体検知センサ５で検知した来訪者が呼出ボタン４を押下したときに、利用者が留守であった場合、呼出ボタン４に対する応対はなされない。この場合、領域３へ記録保存された最新の検知録画映像が、留守録画映像として、第２メモリ９上に設けられた領域４へ記録保存される（ステップＳ７）。
【００５３】
具体的には、図３に示すように、人体検知センサ５が人体を検知して検知録画映像Ａが領域３へ記録保存されたときに、呼出ボタン４が押下されないか（ステップＳ５で”なし”）、または呼出ボタン４が押下され利用者がこれに応じて来訪者に応対した（ステップＳ６で”あり”）場合には、検知録画映像Ａは領域３へ記録保存されるのみである。
【００５４】
これに対し、次に人体検知センサ５が人体を検知して検知録画映像Ｂが領域３へ記録保存されたときに、呼出ボタンが押下された（ステップＳ５で”あり”）にも拘わらず、利用者が留守であって呼出ボタン４への応答がなされなかった（ステップＳ６で”なし”）場合には、図４に示すように、検知録画映像Ｂのみが留守録画映像Ａとして、第２メモリ９上の領域４へ記録保存される（ステップＳ７）。このとき検知録画映像Ａは領域４に記録されない。
【００５５】
そして、利用者が留守の間に領域３へ記録保存された検知録画映像は、先に記録保存された留守録画映像を上書きすることなく、順次領域４へ記録保存される。
【００５６】
領域３では、人体検知センサ５が人体を検知する度に、検知録画映像が記録されるが、上述したように、領域３の容量を超えたときには、最も古い検知録画映像から順に、新しい検知録画映像によって上書きされてゆく。これに対し、領域４では、検知録画映像のうち、利用者が留守の間のものだけが選択的に記録保存される。
【００５７】
これにより、利用者は、コントローラ２を操作して、領域４の留守録画映像のみを順次再生して確認することができる。
【００５８】
また、例えば、留守にしていた利用者が帰宅した後に、複数の来訪者があって、領域３では、利用者が留守の間に記録保存した検知録画映像が上書きされてしまった場合でも、領域４に残っている留守録画映像によって、留守の間の来訪者を確認することが可能である。
【００５９】
さらに、利用者が確認したい留守中の映像データのみを選択的に記録保存することで、限られた第２メモリ９の記憶容量を有効に利用することができる。
【００６０】
さらにまた、領域１〜３は揮発性の第１メモリ８上に設けられているのに対し、領域４は不揮発性の第２メモリ９上に設けられているため、例えば、停電や、留守であることを確認した不審者が室内へ侵入しコントローラ２を破壊し、コントローラ２への電力供給が停止されたような場合でも、第２メモリ９上に記録保存された映像を利用することが可能である。
【００６１】
尚、領域４の容量は、複数の留守録画映像と異常検出録画映像とが記録できるよう、第１メモリに比して大容量の記憶装置であることが望ましい。また、領域４に記録保存された留守録画映像は、利用者の操作によって削除可能であるが、その他、所定時間経過後に自動的に削除される態様であっても構わない。
【００６２】
そして、領域４への留守録画映像を終えた後は、再び、領域１への映像データの記録保存（ステップＳ１）を開始する。
【００６３】
本発明に係るドアホンシステムは、上述したようにステップＳ１からＳ７の動作を行うが、これとは別に異常事態が発生したとき（ステップＳ１０）に、これに応じて、領域３にある全ての映像データを領域４へ記録保存する動作を行う（ステップＳ１１）。
【００６４】
例えば、図３に示すように、第１メモリ８上の領域３に検知録画映像Ａおよび検知録画映像Ｂが記録保存された状態にあるときに、異常検出センサ１３によって異常事態が検出され、これがコントローラ２に通知されると、図４に示すように、検知録画映像Ａおよび検知録画映像Ｂが、異常時録画映像として、第２メモリ９上の領域４へ記録保存される。
【００６５】
ここで、異常事態とは、例えば、窓ガラスが割られたりドアがこじ開けられたような場合である。窓ガラスやドアに設置された異常検出センサ１３が、これらを検出すると、上述したように、領域３へ記録保存されている全ての映像データが領域４へ記録保存される。
【００６６】
これにより、利用者は、異常事態が検出された以前に領域３へ記録保存されていた全ての検知録画映像を、異常事態発生の原因と関連する不審者等を特定するために利用することができる。
【００６７】
また、例えば、異常事態が発生した後に、複数の来訪者があった場合等、領域３に記録保存された検知録画映像が上書きされてしまった場合でも、領域４に残っている異常時録画映像を利用することができる。
【００６８】
さらに、異常事態が発生したときにのみ第３領域の映像データを領域４に記録保存することで、限られた第２メモリ９の記憶容量を有効に利用することができる。
【００６９】
さらにまた、領域１〜３は揮発性の第１メモリ８上に設けられているのに対し、領域４は不揮発性の第２メモリ９上に設けられているため、例えば、停電や、留守であることを確認した不審者が室内へ侵入しコントローラ２を破壊し、コントローラ２への電力供給が停止されたような場合でも、第２メモリ９上に記録保存された映像を利用することが可能である。
【００７０】
以上のように、センサ等を利用して、出入り口に人体を検知したときにのみ映像データを記録保存し、さらに、利用者が留守の場合や異常事態を検出した場合の映像データのみを優先して記録保存することで、防犯目的上必要な映像のみを効後よく記録保存することができる。
【図面の簡単な説明】
【００７１】
【図１】この発明の実施の形態に係るドアホンシステムを示す図である。
【図２】この発明の実施の形態に係るドアホンシステムの動作を示すフローチャートである。
【図３】この発明の第１メモリへの映像データの記録動作を説明する図である。
【図４】この発明の第２メモリへの映像データの記録動作を説明する図である。
【符号の説明】
【００７２】
１  ドアホン
２  コントローラ
３  カメラユニット   
４  呼出ボタン  
５  人体検知センサ
６  ＣＰＵ
７  画像圧縮部
８  第１メモリ
９  第２メモリ
１０  画像伸張部
１１  表示処理部
１２  画像表示部
１３  異常検出センサ
【図１】
2006237693.tif 000003
【図２】
2006237693.tif 000004
【図３】
2006237693.tif 000005
【図４】
2006237693.tif 000006